(57)【要約】【課題】一度だけ記録可能な媒体に記録されたデータを完全に消去する。【解決手段】ホストコンピュータが指定した範囲をデータ記録再生装置が上書きし、再生不能になったかどうか確認して、再生不能でない場合は再度上書きする。例えば、一度だけ記録可能な記録媒体にデータを記録し、記録媒体からデータを再生する、データ記録再生装置において、記録媒体に記録されているデータを再生する再生手段と、記録媒体に記録されたデータに特定のデータパターンを上書きする上書き手段と、上書き手段により上書きされたデータが再生不能かどうかを判断する判断手段と、再生手段、上書き手段及び判断手段を制御する制御手段とを備え、制御手段は上書き手段を制御して当該データに対して第１の条件で上書き記録し、判断手段を制御して前記データが再生不能になったかどうかを確認し、再生不能でない場合は、前記上書き手段を制御して更に第２の条件で上書き記録し、再生不能になるまで条件を変えて上書き記録を繰り返す。【選択図】  図５
2013186930.tif 000002
【特許請求の範囲】
【請求項１】
一度だけ記録可能な記録媒体にデータを記録し、記録媒体からデータを再生する、データ記録再生装置において、
前記記録媒体に記録されているデータを再生する再生手段と、
前記記録媒体に記録されたデータに特定のデータパターンを上書きする上書き手段と、
前記上書き手段により上書きされたデータが再生不能かどうかを判断する判断手段と、
前記再生手段、上書き手段、及び、判断手段を制御する制御手段と、を備え、
前記制御手段は、前記上書き手段を制御して当該データに対して第１の条件で上書き記録し、前記判断手段を制御して前記データが再生不能になったかどうかを確認し、再生不能でない場合は、前記上書き手段を制御して更に第２の条件で上書き記録し、再生不能になるまで条件を変えて上書き記録を繰り返すように制御することを特徴とするデータ記録再生装置。
【請求項２】
請求項１に記載のデータ記録再生装置において、
第２の条件は、第１の条件とは別のデータパターンであり、
再生不能になるまでデータパターンを変えて上書き記録を繰り返すことを特徴とするデータ記録再生装置。
【請求項３】
請求項１に記載のデータ記録再生装置において、
第１の条件は、通常のデータ記録時と同じレーザパワーであり、
第２の条件は、通常のデータ記録時より大きなレーザパワーであり、
再生不能になるまでレーザパワーを上げて上書き記録を繰り返すことを特徴とするデータ記録再生装置。
【請求項４】
請求項１に記載のデータ記録再生装置において、
第１の条件は、通常のデータ記録時より高速な記録速度であり
第２の条件は、通常のデータ記録時と同等、あるいは低速な記録速度であり、再生不能になるまで記録速度を下げて上書き記録を繰り返すことを特徴とするデータ記録再生装置。
【請求項５】
請求項１〜４のいずれかに記載のデータ記録再生装置において、
一度だけ記録可能な記録媒体に記録されたデータが交替領域にある場合は、
交替元と交替先の両方のデータに対して上書き記録することを特徴とするデータ記録再生装置。
【請求項６】
請求項１〜５のいずれかに記載のデータ記録再生装置において、
再生不能になったかどうかを確認する際に、
通常のデータ再生時より大きなレーザパワー、あるいは通常のデータ再生時より低速な再生速度で確認することを特徴とするデータ記録再生装置。
【請求項７】
請求項１〜６のいずれかに記載のデータ記録再生装置を用いたデータ消去方法において、
消去するデータに対して上書き記録する前に、
同一記録媒体内の他のデータを別の記録媒体に退避しておくことを特徴とするデータ消去方法。
【請求項８】
請求項１〜６のいずれかに記載のデータ記録再生装置を用いたデータ消去方法において、
消去するデータに対して上書き記録する際に、
前記データの前後にダミーデータあるいはダミーファイルを付加することを特徴とするデータ消去方法。
【請求項９】
請求項１〜６のいずれかに記載のデータ記録再生装置において、
上書き記録されたデータに対して、ホストコンピュータから更に上書き記録を指示された場合は、
ホストコンピュータにエラーを返すことを特徴とするデータ記録再生装置。
【請求項１０】
請求項１〜６のいずれかに記載のデータ記録再生装置において、
ホストコンピュータから上書き記録されたデータの再生を指示された場合は、
ホストコンピュータにエラーを返す、あるいはゼロデータを出力することを特徴とするデータ記録再生装置。
【請求項１１】
請求項１〜６のいずれかに記載のデータ記録再生装置において、
前記データに対して上書き記録する際に、
一定周期で間欠的に記録することを特徴とするデータ記録再生装置。
【請求項１２】
一度だけ記録可能な記録媒体にデータを記録し、記録媒体からデータを再生する、データ記録再生装置において、
前記記録媒体に記録されているデータを再生する再生手段と、
記録媒体に記録されたデータに特定のデータパターンを上書きする上書き手段と、
前記再生手段及び上書き手段とを制御する制御手段とを備え、
前記制御手段は、前記上書き手段を制御して当該データに対して通常の記録時より大きなレーザパワーで上書き記録し、上書きされたデータを再生したときに、サーボ外れが発生したかどうかを確認し、サーボ外れが発生してない場合は、更に大きなレーザパワーで上書き記録するよう前記上書き手段を制御し、
サーボ外れが発生するまでレーザパワーを上げて上書き記録を繰り返すことを特徴とするデータ記録再生装置。
【請求項１３】
一度だけ記録可能な記録媒体に記録されたデータに特定のデータパターンを上書きするデータ消去方法において、
当該データに対して第１の条件で上書き記録し、
前記上書きされたデータが再生不能になったかどうかを確認し、
再生不能でない場合は、更に第２の条件で前記データを上書き記録し、
再生不能になるまで条件を変えて前記データに対する上書き記録を繰り返すことを特徴とするデータ消去方法。
【発明の詳細な説明】
【技術分野】
【０００１】
本発明は、データ記録再生装置およびデータ消去方法に関するものである。
【背景技術】
【０００２】
本技術分野の背景技術として、特許文献１（特開２００８−０８４３６７号公報）がある。この公報には、記録媒体のデータ消去方法として「従来、ＣＤ−ＲやＤＶＤ−Ｒ、さらには、次世代のＢＤ−ＲやＨＤ  ＤＶＤ−Ｒ等のライトワンスメディアのデータ消去は、カッター等で記録層を傷つける、又は、シュレッダー等によりメディアを裁断することによる方法があった。」とし、課題として「メディアを裁断する方法では、記録層で使われている金属片や記録層の色素（含む有害物質）が飛散し、環境や人体に影響を与える可能性があるという問題点があった。また、傷つけや裁断をおこなった記録層をつなぎ合わせることによりデータ部を読みとることが出来るという、セキュリティ上の問題点があった。また、上書きよる方法では、停電等により上書きが中断された場合に、データを完全に消去出来ない又は書き込み領域情報が分かるため、データの一部を復旧できる可能性があるという、セキュリティ上の問題点があった。」と記載されている。
【０００３】
また、解決手段として「データ格納領域に対するデータ消去を行った後に、管理領域に対するデータ消去を行う」と記載されている。
【先行技術文献】
【特許文献】
【０００４】
【特許文献１】特開２００８−０８４３６７号公報
【発明の概要】
【発明が解決しようとする課題】
【０００５】
前記特許文献１には、一度だけデータの書込みが可能なＣＤ−ＲやＤＶＤ−Ｒなどのいわゆるライトワンスメディアを、専用の消去装置で全面上書きすることにより消去する方法が記載されている。しかし、一般の記録再生装置で特定のデータに上書きして消去し、消去した箇所を再生して確認することについては記載されていない。
【０００６】
そこで、本発明の目的は、一度だけ記録可能な記録媒体に記録されたデータに上書きして消去し、再生して確認することで、完全にデータ消去できるデータ記録再生装置およびデータ消去方法を提供することである。
【課題を解決するための手段】
【０００７】
本発明の目的は、例えばホストコンピュータが指定した範囲をデータ記録再生装置が上書きし、再生不能になったかどうか確認して、もしも再生不能でない場合は再度上書きすることで達成できる。
【発明の効果】
【０００８】
本発明によれば、一度だけ記録可能な媒体に記録されたデータを完全に消去できるデータ記録再生装置およびデータ消去方法を提供することができる。
【０００９】
上記した以外の課題、構成及び効果は、以下の実施形態の説明により明らかにされる。
【図面の簡単な説明】
【００１０】
【図１】第１の実施例のデータ記録再生装置の構成を示すブロック図。
【図２】第１の実施例のデータ記録再生装置の信号処理回路の構成を示すブロック図。
【図３】第１の実施例のデータ記録再生装置の動作を示すフローチャート。
【図４】第１の実施例の上書き消去処理におけるホストコンピュータの動作を示すフローチャート。
【図５】第１の実施例のデータ記録再生装置の上書き消去処理動作を示すフローチャート。
【図６】第１の実施例の上書き消去処理におけるタイミングチャート。
【図７】第２の実施例のデータ記録再生装置の上書き消去処理動作を示すフローチャート。
【図８】第３の実施例のデータ記録再生装置の上書き消去処理動作を示すフローチャート。
【図９】第４のデータ記録再生装置の上書き消去処理動作を示すフローチャート。
【図１０】第５の実施例のデータ記録再生装置の上書き消去処理動作を示すフローチャート。
【図１１】第６の実施例の上書き消去処理におけるホストコンピュータの動作を示すフローチャート。
【図１２】第７の実施例のデータ記録処理におけるホストコンピュータの動作を示すフローチャート。
【図１３】第８の実施例のデータ記録処理におけるホストコンピュータの動作を示すフローチャート。
【図１４】第９の実施例のデータ記録再生装置の信号処理回路の構成を示すブロック図。
【図１５】第１０の実施例のデータ記録再生装置の上書き消去処理動作を示すフローチャート。
【図１６】第１１の実施例のデータ記録再生装置の上書き消去処理動作を示すフローチャート。
【図１７】第１２の実施例のデータ記録再生装置のデータ再生処理動作を示すフローチャート。
【図１８】第１３の実施例のデータ記録再生装置のデータ再生処理動作を示すフローチャート。
【図１９】第１４の実施例のデータ記録再生装置の上書き消去時の記録信号を示すタイミングチャート。
【発明を実施するための形態】
【００１１】
以下、図面を用いて実施例を説明する。
【実施例１】
【００１２】
図１は、本発明の第１の実施例のデータ記録再生装置の構成を示すブロック図である。データ記録再生装置１は、ホストコンピュータから入力したデータを記録媒体に記録する。また、記録媒体から再生したデータをホストコンピュータに出力する。あるいは、記録媒体に記録されたデータを上書き消去する。上書き消去とは、一度だけ記録可能な記録媒体の記録済みのデータに対して、別のデータを上書き記録して元のデータを再生不能にすることを指す。
【００１３】
光ディスク２は一度だけ記録可能な記録媒体であり、例えばＢＤ−Ｒ（Ｂｌｕ−ｒａｙ  Ｄｉｓｃ  Ｒｅｃｏｒｄａｂｌｅ）である。必ずしも光ディスクに限定されるものではなく、一度だけ記録可能な記録媒体であればホログラムや半導体メモリ等であってもよい。
【００１４】
光ピックアップ３は、光ディスク２から信号を読み出して増幅回路４に送る。また、信号処理回路５から送られた変調信号を光ディスク２に記録する。
【００１５】
増幅回路４は、光ピックアップ３を介して光ディスク２から読み出した再生信号を増幅して信号処理回路５に送る。また、サーボ信号を生成してサーボ回路８に送る。増幅回路４は、例えば、ＡＦＥ（Ａｎａｌｏｇ  Ｆｒｏｎｔ  Ｅｎｄ）によって実装する。
【００１６】
信号処理回路５は、入力信号を復調してインタリーブを解き、誤り訂正を行い、スクランブルを解いたデータをインタフェース回路６に送る。また、インタフェース回路６から送られたデータにスクランブルを施し、誤り訂正符号を付加し、インタリーブを施し、変調して光ピックアップ３に送る。また、上書き消去する際には、ホストコンピュータから送られたデータとは別のデータを光ピックアップ３に送る。
【００１７】
インタフェース回路６は、ホストコンピュータからの指示をＣＰＵ（Ｃｅｎｔｒａｌ  Ｐｒｏｃｅｓｓｉｎｇ  Ｕｎｉｔ）７に伝える。また、信号処理回路５から送られたデータをホストコンピュータに送る。また、ホストコンピュータから送られたデータを信号処理回路５に送る。インタフェース回路６は、例えばＳＡＴＡ（Ｓｅｒｉａｌ Ａｄｖａｎｃｅｄ  Ｔｅｃｈｎｏｌｏｇｙ  Ａｔｔａｃｈｍｅｎｔ）その他の転送方式に準拠したデータ転送を行う。
【００１８】
ＣＰＵ７は、データ記録再生装置１のデータ記録処理、データ再生処理および上書き消去処理の制御を行う。なお、ＣＰＵでなくとも、任意の制御回路や、ＡＳＩＣ等の専用回路を用いてもよい。
【００１９】
サーボ回路８は、増幅回路４にて生成されたサーボ信号により光ピックアップ３を制御する。
【００２０】
次に、光ディスク２にデータを記録する場合のデータ記録再生装置１の動作を説明する。 データ記録再生装置１に光ディスク２が装着されると、ＣＰＵ７は光ピックアップ３、増幅回路４、サーボ回路８を介して光ディスク２についてのセットアップ処理を行う。なお、セットアップ処理とは一般に光ディスクにデータを記録再生するために光ディスクの管理情報を取得、データ記録再生装置の調整等を示す。
【００２１】
そして、ホストコンピュータからデータ記録再生装置１にデータが送られると、インタフェース回路６でデータを受け取り、信号処理回路５でスクランブルを施し、誤り訂正符号を付加し、インタリーブを施し、データ変調して光ピックアップ３に送り、光ディスク２に記録する。
【００２２】
次に、光ディスク２からデータを再生する場合のデータ記録再生装置１の動作を説明する。データ記録再生装置１に光ディスク２が装着されると、ＣＰＵ７は光ピックアップ３、増幅回路４、サーボ回路８を介して光ディスク２についてのセットアップ処理を行う。
そして、ホストコンピュータからデータ記録再生装置１にデータが要求されると、光ピックアップ３を介して光ディスク２から読み出した信号を増幅回路４で増幅し、信号処理回路５でデータ復調し、インタリーブを解き、誤り訂正を行い、スクランブルを解き、インタフェース回路６を介してホストコンピュータにデータを送る。
【００２３】
次に、光ディスク２に記録されたデータを上書き消去する場合のデータ記録再生装置１の動作を説明する。
データ記録再生装置１に光ディスク２が装着されると、ＣＰＵ７は光ピックアップ３、増幅回路４、サーボ回路８を介して光ディスク２についてのセットアップ処理を行う。
そして、ホストコンピュータからデータ記録再生装置１に上書き消去が指示されると、信号処理回路５で固定値にスクランブルを施し、誤り訂正符号を付加し、インタリーブを施し、データ変調して光ピックアップ３に送り、光ディスク２の該当データに上書き記録することにより上書き消去する。
【００２４】
次に、上書き消去したデータが再生不能であることを確認するため、光ピックアップ３を介して光ディスク２から読み出した信号を増幅回路４で増幅し、信号処理回路５でデータ復調し、インタリーブを解き、誤り訂正を行うが、通常は誤り訂正まで至らずデータ復調が不能となる。なお、再生不能とは、誤り訂正不能、誤り検出符号エラー、アドレス未検出、同期符号未検出、クロック再生不能、サーボ外れ等、色々な要因によりデータが正しく再生できないことを指す。
もしも、上書き消去したデータが再生可能であった場合は、再度上書き消去を行う。
【００２５】
図２は、第１の実施例のデータ記録再生装置の信号処理回路５の構成を示すブロック図である。
データ復調回路２１は、増幅回路４からの入力信号を１７ＰＰ復調してデインタリーブ回路２２に送る。デインタリーブ回路２２は、データ復調回路２１から送られたデータのインタリーブを解き、メモリ２３に書き込む。
【００２６】
メモリ２３は、誤り訂正用メモリ、誤り訂正符号付加メモリ、およびバッファメモリとして使用する。メモリ２３は、ＳＲＡＭ、ＤＲＡＭ等で実装するが、その他同様の機能を持つメモリ回路で代替してもよい。
【００２７】
誤り訂正処理回路２４は、メモリ２３からデータを読み出して誤り訂正を行いメモリ２３に書き込む。また、メモリ２３から読み出したデータに対して誤り訂正符号を生成し、メモリ２３に書き込む。
デスクランブル回路２５は、誤り訂正が完了したデータのスクランブルを解いてインタフェース回路６に送る。
スクランブル回路２６は、インタフェース回路６あるいはデータパターン発生回路２９から入力したデータにスクランブルを施しメモリ２３に書き込む。
インタリーブ回路２７は、メモリ２３から読み出したデータにインタリーブを施し、データ変調回路２８に送る。
データ変調回路２８は、インタリーブ回路２７から送られたデータを１７ＰＰ変調して光ピックアップに送る。
【００２８】
データパターン発生回路２９は、上書き消去用の複数のデータパターンを切り換えてスクランブル回路２６に送る。なお、データパターン発生回路２９は独立した回路ではなく、スクランブル回路２６等に含まれていても良い。
【００２９】
次に、光ディスク２にデータを記録する場合の信号処理回路５の動作を説明する。
ホストコンピュータから送られたデータは、インタフェース回路６を介してスクランブル回路２６に入力される。スクランブル回路２６でスクランブルを施されたデータは、メモリ２３に書き込まれ、誤り訂正回路２４により誤り訂正符号が付加される。
【００３０】
次に、インタリーブ回路２７に送られてインタリーブが施されたデータは、変調回路２８により１７ＰＰ変調されて光ピックアップ３に送られ、光ディスク２に記録される。
【００３１】
次に、光ディスク２からデータを再生する場合の信号処理回路５の動作を説明する。
光ディスク２から読み出された信号は、増幅回路４にて増幅されて復調回路２１に入力される。復調回路２１で１７ＰＰ復調されたデータは、デインタリーブ回路２２でインタリーブ信号が解かれ、メモリ２３に書き込まれ、誤り訂正回路２４により誤り訂正が行われる。
次に、光ディスク２に記録済みのデータを上書き消去する場合の信号処理回路５の動作を説明する。ホストコンピュータから上書き消去が指示されると、データパターン発生回路２９が出力したデータパターンをスクランブル回路２６でスクランブルし、メモリ２３に書き込み、誤り訂正回路２４により誤り訂正符号を付加する。
次に、インタリーブ回路２７でインタリーブを施したデータを、変調回路２８により１７ＰＰ変調して光ピックアップ３に送り、光ディスク２の該当箇所に上書き記録することにより上書き消去を行う。
【００３２】
図３は、第１の実施例のデータ記録再生装置の動作を示すフローチャートである。ステップＳ３０１においてデータ記録再生装置に光ディスクが装着されたら、ステップＳ３０２においてセットアップ処理を行う。
【００３３】
次にステップＳ３０３においてホストコンピュータからデータ再生コマンドを受け取ったら、ステップＳ３０４においてデータ再生処理を行う。あるいはステップＳ３０５においてホストコンピュータからデータ記録コマンドを受け取ったら、ステップＳ３０６においてデータ記録処理を行う。あるいはステップＳ３０７においてホストコンピュータから上書き消去コマンドを受け取ったら、ステップＳ３０８において上書き消去処理を行う。あるいはステップＳ３０９においてホストコンピュータからその他のコマンドを受け取ったら、ステップＳ３１０においてその他の処理を行う。
ステップＳ３１１において光ディスクが排出された場合は、処理を終了する。
【００３４】
図４は、第１の実施例の上書き消去処理におけるホストコンピュータの動作を示すフローチャートである。ホストコンピュータは、ステップＳ４０１においてファイルの先頭クラスタとクラスタ数を指定して上書き消去コマンドを発行し、ステップＳ４０２においてコマンド実行完了を待つ。
なお、ＢＤ−Ｒではホストコンピュータから入力されたデータは２０４８バイト単位のセクタに分割された後、４バイトのエラー検出符号が付加され、３２のセクタを集めた上、２１６ｒｏｗ×３０４ｃｏｌｕｍｎのマトリクスに配置された上で、２１６バイトごとに３２バイトのリードソロモンコードで生成される誤り訂正符号が付加され、２４８ｒｏｗ×３０４ｃｏｌｕｍｎの構成にされる。これがクラスタであり、ＢＩＳ（Ｂｕｒｓｔ  Ｉｎｄｉｃａｔｏｒ  Ｓｕｂｃｏｄｅ）で示される位置情報により３０４ｃｏｌｕｍｎ毎に誤り系列３２バイトまでの消失訂正が可能である。
コマンド実行が完了したら、ステップＳ４０３において上書き消去するファイルの全てのクラスタを上書き消去したかどうかを確認し、まだ上書き消去していないクラスタがあれば、ステップＳ４０４において、次のクラスタとクラスタ数を指定して上書き消去コマンドを発行する。上書き消去していないクラスタがなければ、ステップＳ４０５において上書き消去したファイルの管理情報を削除する。なお、管理情報を削除する際にも上書き消去を適用しても良く、管理情報まで上書き消去することにより当該ファイルが存在した痕跡も失くすことができる。
【００３５】
図５は、第１の実施例のデータ記録再生装置の上書き消去処理動作を示すフローチャートである。ステップＳ５０１においてホストコンピュータから上書き消去コマンドで指定された開始クラスタにシークし、ステップＳ５０２においてＮクラスタ分のデータを物理的に上書きすることにより上書き消去する。なお、Ｎは固定値ではなく、光ディスク内外周の１周あたりのクラスタ数に応じて、都合の良いクラスタ数にして良い。上書きするデータは例えば“００ｈ”等のデータパターンとする。
【００３６】
次に、ステップＳ５０３において上書き消去開始した先頭クラスタにシークし、ステップＳ５０４においてＮクラスタ分のデータ再生処理を行う。
【００３７】
次に、ステップＳ５０５において再生不能でないクラスタがあった場合は、ステップＳ５０６において当該クラスタにシークし、ステップＳ５０７において当該クラスタに前回とは別のデータパターンを上書きすることにより上書き消去を行う。上書きするデータは例えば“５５ｈ”等、前回上書きしたパターンとは異なるデータパターンを採用する。
【００３８】
次に、ステップＳ５０３において再び上書き消去開始した先頭クラスタにシークし、ステップＳ５０４においてＮクラスタ分のデータ再生処理を行う。なお、Ｎクラスタ分のデータ再生処理を行わずに、再生不能でなかったクラスタのみデータ再生処理を行っても良い。
【００３９】
次に、ステップＳ５０５において再度再生不能でないクラスタがあった場合は、ステップＳ５０６において当該クラスタにシークし、ステップＳ５０７において当該クラスタに前回とは更に別のデータパターンを上書きすることにより上書き消去を行う。上書きするデータは例えば“ＡＡｈ”等、前回上書きしたデータとは更に異なるデータパターンを採用する。
【００４０】
ステップＳ５０５において再生不能でないクラスタがない場合は、ステップＳ５０８において上書き消去コマンドで指定されたクラスタ数終了したかどうかを確認し、指定されたクラスタ数終了してなければステップＳ５０２に戻り、残りクラスタ分の上書き消去を行う。指定されたクラスタ数終了していればステップＳ５０９において上書き消去したクラスタを光ディスクの管理情報の欠陥リストに登録する。
【００４１】
次に、ステップＳ５１０においてホストコンピュータに上書き消去コマンド実行完了を報告する。
【００４２】
図６は、第１の実施例の上書き消去処理におけるタイミングチャートである。図６（Ａ）は全て再生不能なケースを示す。まず、クラスタ１〜Ｎの上書き消去を行い、シークして当該クラスタを再生する。クラスタ１〜Ｎが全て再生不能（再生可能なクラスタがない）なので、引き続きクラスタＮ＋１〜２Ｎの上書き消去を行う。これを繰り返して必要な分の上書き消去処理を行う。
【００４３】
図６（Ｂ）は一部再生可能なケースを示す。まず、クラスタ１〜Ｎの上書き消去を行い、シークして当該クラスタを再生する。クラスタ１〜Ｎの一部が再生可能（再生不能でないクラスタがある）なので、再びシークして当該クラスタに再び上書き消去を行う。ここではクラスタ３が再生可能であったとする。再び上書き消去を行う際には、前回とは異なるデータパターンを採用する。
【００４４】
次に、シークしてクラスタ３を再生する。再生不能なので、次はクラスタＮ＋１〜２Ｎの上書き消去を行う。これを繰り返して必要な分の上書き消去処理を行う。
【００４５】
以上の構成により本発明の第１の実施例では、一度だけ記録可能な記録媒体に記録されたデータに上書きして消去し、再生して確認することで、完全にデータを消去することができる。
【００４６】
更に、当該データを再生して確認し、再生不能になっていない場合は前回のパターンとは異なるデータパターンを上書きすることにより、データを確実に消去することができる。
【実施例２】
【００４７】
図７は、第２の実施例のデータ記録再生装置の上書き消去処理動作を示すフローチャートである。ステップＳ７０１においてホストコンピュータから上書き消去コマンドで指定された開始クラスタにシークし、ステップＳ７０２においてＮクラスタ分のデータを物理的に上書きすることにより上書き消去する。なお、Ｎは固定値ではなく、光ディスク内外周の１周あたりのクラスタ数に応じて、都合の良いクラスタ数にして良い。上書きするデータは例えば“００ｈ”等のデータパターンを採用する。
【００４８】
次に、ステップＳ７０３において上書き消去開始した先頭クラスタにシークし、ステップＳ７０４においてＮクラスタ分のデータ再生処理を行う。
【００４９】
次に、ステップＳ７０５において再生不能でないクラスタがあった場合は、ステップＳ７０６において当該クラスタにシークし、ステップＳ７０７において当該クラスタに前回よりレーザパワーを上げて上書きすることにより上書き消去を行う。
【００５０】
次に、ステップＳ７０３において再び上書き消去開始した先頭クラスタにシークし、ステップＳ７０４においてＮクラスタ分のデータ再生処理を行う。なお、Ｎクラスタ分のデータ再生処理を行わずに、再生不能でなかったクラスタのみデータ再生処理を行っても良い。
【００５１】
次に、ステップＳ７０５において再度再生不能でないクラスタがあった場合は、ステップＳ７０６において当該クラスタにシークし、ステップＳ７０７において当該クラスタに前回より更にレーザパワーを上げて上書きすることにより上書き消去を行う。  
ただし、記録時のレーザパワーを上げすぎると、再生時にサーボ外れが発生することがあるので、事前にサーボ外れが発生しない上限のレーザパワーを決めておき、このレーザパワーに達した場合は、前回と同じレーザパワーを使用する。
【００５２】
レーザパワーが光ディスクやレーザ自身を破壊する上限に達した場合は、前回と同じレーザパワーを使用する。
【００５３】
ステップＳ７０５において再生不能でないクラスタがない場合は、ステップＳ７０８において上書き消去コマンドで指定されたクラスタ数終了したかどうかを確認し、指定されたクラスタ数終了してなければステップＳ７０２に戻り、残りクラスタ分の上書き消去を行う。指定されたクラスタ数終了していればステップＳ７０９において上書き消去したクラスタを光ディスクの管理情報の欠陥リストに登録する。
次に、ステップＳ７１０においてホストコンピュータに上書き消去コマンド実行完了を報告する。
【００５４】
以上の構成により本発明の第２の実施例では、一度だけ記録可能な記録媒体に記録されたデータに上書きして消去し、再生して確認することで、完全にデータを消去することができる。
【００５５】
更に、当該データを再生して確認し、再生不能になっていない場合は前回よりレーザパワーを上げて上書きすることにより、データを確実に消去することができる。
【実施例３】
【００５６】
図８は、第３の実施例のデータ記録再生装置の上書き消去処理動作を示すフローチャートである。ステップＳ８０１においてホストコンピュータから上書き消去コマンドで指定された開始クラスタにシークし、ステップＳ８０２においてＮクラスタ分のデータを上書きすることにより上書き消去を行う。上書き消去はデータを読めなくすることが目的であり、上書きデータを正確に記録する必要はないため、上書き消去を行う際には通常の記録よりも記録速度を早くする。記録速度は正常に記録できないほどの高速でも良い。また、良好な記録特性を得るために記録時にはライトストラテジと呼ばれる記録レーザ出力のマルチパルス変調を行うことが一般的であるが、上書き消去においては通常記録時とは異なる簡略化したライトストラテジを適用し、記録特性を劣化させても良い。
【００５７】
なお、レーザパワーは記録速度に合わせる。また、Ｎは固定値ではなく、光ディスク内外周の１周あたりのクラスタ数に応じて、都合の良いクラスタ数にして良い。上書きするデータは例えば“００ｈ”等のデータパターンを採用する。
【００５８】
次に、ステップＳ８０３において上書き消去開始した先頭クラスタにシークし、ステップＳ８０４においてＮクラスタ分のデータ再生処理を行う。
【００５９】
次に、ステップＳ８０５において再生不能でないクラスタがあった場合は、ステップＳ８０６において当該クラスタにシークし、ステップＳ８０７において当該クラスタに通常記録速度で上書きすることにより上書き消去を行う。
【００６０】
次に、ステップＳ８０３において再び上書き消去開始した先頭クラスタにシークし、ステップＳ８０４においてＮクラスタ分のデータ再生処理を行う。なお、Ｎクラスタ分のデータ再生処理を行わずに、再生不能でなかったクラスタのみデータ再生処理を行っても良い。
【００６１】
次に、ステップＳ８０５において再度再生不能でないクラスタがあった場合は、ステップＳ８０６において当該クラスタにシークし、ステップＳ８０７において当該クラスタに通常記録速度で上書き、あるいは前回より記録速度を下げて上書きすることにより上書き消去を行う。ただし、記録速度が光ディスクの記録速度に記録できる下限に達した場合は、前回と同じ記録速度を使用する。
【００６２】
ステップＳ８０５において再生不能でないクラスタがない場合は、ステップＳ８０８において上書き消去コマンドで指定されたクラスタ数終了したかどうかを確認し、指定されたクラスタ数終了してなければステップＳ８０２に戻り、残りクラスタ分の上書き消去を行う。指定されたクラスタ数終了していればステップＳ８０９において上書き消去したクラスタを光ディスクの管理情報の欠陥リストに登録する。
【００６３】
次に、ステップＳ８１０においてホストコンピュータに上書き消去コマンド実行完了を報告する。
【００６４】
以上の構成により本発明の第３の実施例では、一度だけ記録可能な記録媒体に記録されたデータに上書きして消去し、再生して確認することで、完全にデータを消去することができる。
【００６５】
上書き消去を行う際には通常の記録よりも記録速度を早くするため、処理時間を短縮することができる。
【００６６】
更に、当該データを再生して確認し、再生不能になっていない場合は通常記録速度で上書き、あるいは前回より記録速度を下げて上書きすることにより、データを確実に消去することができる。
【実施例４】
【００６７】
図９は、第４のデータ記録再生装置の上書き消去処理動作を示すフローチャートである。ステップＳ９０１においてホストコンピュータから上書き消去コマンドで指定された開始クラスタにシークし、ステップＳ９０２においてＮクラスタ分のデータを物理的に上書きすることにより上書き消去する。なお、Ｎは固定値ではなく、光ディスク内外周の１周あたりのクラスタ数に応じて、都合の良いクラスタ数にして良い。上書きするデータは例えば“００ｈ”等のデータパターンを採用する。
次に、ステップＳ９０３において上書き消去開始した先頭クラスタにシークし、ステップＳ９０４においてＮクラスタ分のデータ再生処理を行う。
【００６８】
次に、ステップＳ９０５において再生不能でないクラスタがあった場合は、ステップＳ９０６において当該クラスタにシークし、ステップＳ９０７において当該クラスタに前回とは別のデータパターンを上書きすることにより上書き消去を行う。上書きするデータは例えば“５５ｈ”等、前回上書きしたパターンとは異なるデータパターンを採用する。
【００６９】
次に、ステップＳ９０３において再び上書き消去開始した先頭クラスタにシークし、ステップＳ９０４においてＮクラスタ分のデータ再生処理を行う。なお、Ｎクラスタ分のデータ再生処理を行わずに、再生不能でなかったクラスタのみデータ再生処理を行っても良い。  次に、ステップＳ９０５において再度再生不能でないクラスタがあった場合は、ステップＳ９０６において当該クラスタにシークし、ステップＳ９０７において当該クラスタに前回とは更に別のデータパターンを上書きすることにより上書き消去を行う。上書きするデータは例えば“ＡＡｈ”等、前回上書きしたパターンとは更に異なるデータパターンを採用する。
【００７０】
ステップＳ９０５において再生不能でないクラスタがない場合は、次にステップＳ９０８において上書き消去したクラスタの中に交替クラスタがあるかどうかを確認する。
【００７１】
交替クラスタがある場合は、ステップＳ９０９において交替元クラスタにシークし、ステップＳ９１０においてデータを上書きすることにより上書き消去を行う。上書きするデータは例えば“００ｈ”等のデータパターンを採用する。
【００７２】
次に、ステップＳ９１１において上書き消去したクラスタにシークし、ステップＳ９１２において当該クラスタのデータ再生処理を行う。
【００７３】
次に、ステップＳ９１３において再生不能でないクラスタがあった場合は、ステップＳ９１４において当該クラスタにシークし、ステップＳ９１５において当該クラスタに前回とは別のデータパターンを上書きすることにより上書き消去を行う。上書きするデータは例えば“５５ｈ”等、前回上書きしたパターンとは異なるデータパターンを採用する。
【００７４】
次に、ステップＳ９１１において再び上書き消去したクラスタにシークし、ステップＳ９１２において当該クラスタのデータ再生処理を行う。
【００７５】
次に、ステップＳ９１３において再度再生不能でないクラスタがあった場合は、ステップＳ９１４において当該クラスタにシークし、ステップＳ９１５おいて当該クラスタに前回とは更に別のデータパターンを上書きすることにより上書き消去を行う。上書きするデータは例えば“ＡＡｈ”等、前回上書きしたデータとは更に異なるデータパターンを採用する。
【００７６】
ステップＳ９１３において再生不能でないクラスタがない場合は、ステップＳ９１６において上書き消去コマンドで指定されたクラスタ数終了したかどうかを確認する。
【００７７】
ステップＳ９０８において上書き消去したクラスタの中に交替クラスタがない場合も、ステップＳ９１６において上書き消去コマンドで指定されたクラスタ数終了したかどうかを確認する。
【００７８】
指定されたクラスタ数終了してなければステップＳ９０２に戻り、残りクラスタ分の上書き消去を行う。指定されたクラスタ数終了していればステップＳ９１７において上書き消去したクラスタを光ディスクの管理情報の欠陥リストに登録する。
【００７９】
次に、ステップＳ９１８においてホストコンピュータに上書き消去コマンド実行完了を報告する。
【００８０】
以上の構成により本発明の第４の実施例では、一度だけ記録可能な記録媒体に記録されたデータに上書きして消去し、再生して確認することで、完全にデータを消去することができる。
【００８１】
更に、当該データを再生して確認し、再生不能になっていない場合は前回のパターンとは異なるデータパターンを上書きすることにより、データを確実に消去することができる。
更に、交替クラスタがある場合は交替元のクラスタも上書き消去することができる。
【実施例５】
【００８２】
図１０は、第５の実施例のデータ記録再生装置の上書き消去処理動作を示すフローチャートである。ステップＳ１００１においてホストコンピュータから上書き消去コマンドで指定された開始クラスタにシークし、ステップＳ１００２においてＮクラスタ分のデータを上書きすることにより上書き消去を行う。なお、Ｎは固定値ではなく、光ディスク内外周の１周あたりのクラスタ数に応じて、都合の良いクラスタ数にして良い。上書きするデータは例えば“００ｈ”等のデータパターンを採用する。
【００８３】
次に、ステップＳ１００３において上書き消去開始した先頭クラスタにシークし、ステップＳ１００４においてＮクラスタ分のデータ再生処理を行う。
【００８４】
データ再生処理を行う際には通常のデータ再生時よりレーザパワーを上げ、再生速度を低下させることにより、再生能力を通常より向上させる。また、通常のデータ再生時よりレーザパワーを上げずに再生速度を低下させるだけでも良く、再生速度を低下させずにレーザパワーを上げるだけでも良い。
【００８５】
これにより、もしも当該記録再生装置のデータ再生能力が他の記録再生装置よりも劣っていたとしても、当該記録再生装置で上書き消去したデータが他の記録再生装置で再生できるようなことが発生しない。
【００８６】
なお、再生時のレーザパワーを上げて記録時のレーザパワーに近づけていくと、再生すべきデータを破壊して再生不能にしてしまう恐れがあり、通常は再生時のレーザパワーをむやみに上げられないが、本実施例はデータを再生不能にすることが目的なので、再生時のレーザパワーを記録時のレーザパワーに近づけても問題ない。
【００８７】
次に、ステップＳ１００５において再生不能でないクラスタがあった場合は、ステップＳ１００６において当該クラスタにシークし、ステップＳ１００７において当該クラスタに前回とは別のデータパターンを上書きすることにより上書き消去を行う。上書きするデータは例えば“５５ｈ”等、前回上書きしたパターンとは異なるデータパターンを採用する。
【００８８】
次に、ステップＳ１００３において再び上書き消去開始した先頭クラスタにシークし、ステップＳ１００４においてＮクラスタ分のデータ再生処理を行う。なお、Ｎクラスタ分のデータ再生処理を行わずに、再生不能でなかったクラスタのみデータ再生処理を行っても良い。
【００８９】
次に、ステップＳ１００５において再度再生不能でないクラスタがあった場合は、ステップＳ１００６において当該クラスタにシークし、ステップＳ１００７において当該クラスタに前回とは更に別のデータパターンを上書きすることにより上書き消去を行う。上書きするデータは例えば“ＡＡｈ”等、前回上書きしたデータとは更に異なるデータパターンを採用する。
【００９０】
ステップＳ１００５において再生不能でないクラスタがない場合は、ステップＳ１００８において上書き消去コマンドで指定されたクラスタ数終了したかどうかを確認し、指定されたクラスタ数終了してなければステップＳ１００２に戻り、残りクラスタ分の上書き消去を行う。指定されたクラスタ数終了していればステップＳ１００９において上書き消去したクラスタを光ディスクの管理情報の欠陥リストに登録する。
【００９１】
次に、ステップＳ１０１０においてホストコンピュータに上書き消去コマンド実行完了を報告する。
【００９２】
以上の構成により本発明の第５の実施例では、一度だけ記録可能な記録媒体に記録されたデータに上書きして消去し、再生して確認することで、完全にデータを消去することができる。
【００９３】
更に、当該データを再生して確認し、再生不能になっていない場合は前回のパターンとは異なるデータパターンを上書きすることにより、データを確実に消去することができる。
更に、当該データを再生する際には高レーザパワー低倍速度で確認するため、上書き消去したデータを他の記録再生装置で再生される恐れがない。
【実施例６】
【００９４】
図１１は、第６の実施例の上書き消去処理におけるホストコンピュータの動作を示すフローチャートである。ホストコンピュータは、ステップＳ１１０１において上書き消去するファイルと同一ディスク内のファイルを読み出してホストコンピュータ内のハードディスク、あるいはホストコンピュータからアクセス可能なハードディスク等に退避する。
【００９５】
次に、ステップＳ１１０２においてファイルの先頭クラスタとクラスタ数を指定して上書き消去コマンドを発行し、ステップＳ１１０３においてコマンド実行完了を待つ。
【００９６】
コマンド実行が完了したら、ステップＳ１１０４において上書き消去するファイルの全てのクラスタを上書き消去したかどうかを確認し、まだ上書き消去していないクラスタがあれば、ステップＳ１１０５において、次のクラスタとクラスタ数を指定して上書き消去コマンドを発行する。上書き消去していないクラスタがなければ、ステップＳ１１０６において上書き消去したファイルの管理情報を削除する。
【００９７】
次に、ステップＳ１１０７において上書き消去したファイルと同一ディスク内のファイルを再生し、ステップＳ１１０８において再生不能なファイルがある場合は、ステップＳ１１０９において退避したファイルを読み出して別ディスクを作成すべきことをユーザに通知し、再生不能なファイルがない場合は、ステップＳ１１１０において退避したファイルを削除する。
【００９８】
以上の構成により本発明の第６の実施例では、一度だけ記録可能な記録媒体の記録済みデータにデータパターンを上書きすることにより、ファイルを完全に消去することができる。
【００９９】
更に、ファイルを上書き消去する前に同一ディスク内のファイルを読み出してハードディスク等に退避するため、もしも或るファイルを上書き消去したことにより他のファイルが再生できなくなっても、ファイルが失われることがない。
【実施例７】
【０１００】
図１２は、第７の実施例のデータ記録処理におけるホストコンピュータの動作を示すフローチャートである。ホストコンピュータは、ステップＳ１２０１においてデータ記録再生装置にダミーデータにて数クラスタ分のデータ記録コマンドを発行し、ステップＳ１２０２においてコマンド実行完了を待つ。
【０１０１】
次に、ステップＳ１２０３においてファイルの先頭クラスタとクラスタ数を指定してデータ記録コマンドを発行し、ステップＳ１２０４においてコマンド実行完了を待つ。
【０１０２】
コマンド実行が完了したら、ステップＳ１２０５において記録するファイルを全て記録したかどうかを確認し、まだ記録していないクラスタがあれば、ステップＳ１２０６において、次のクラスタとクラスタ数を指定してデータ記録コマンドを発行する。ファイルが全て記録されたら、ステップＳ１２０７においてデータ記録再生装置にダミーデータにて数クラスタ分のデータ記録コマンドを発行し、ステップＳ１２０８においてコマンド実行の完了を待つ。
【０１０３】
ファイルを上書き消去する際にサーボ外れ等が発生しても隣接するファイルを破壊しないためには、ダミーデータは少なくとも１トラック分以上になるようにクラスタ数を決めると良い。
【０１０４】
なお、ダミーデータは固定値でもランダムデータでも何でも良い。
【０１０５】
以上の構成により本発明の第７の実施例では、一度だけ記録可能な記録媒体にファイルを記録する際に、前後にダミーデータを付加しておくため、その後ファイルを上書き消去する際にサーボ外れ等が発生しても隣接する他のファイルを破壊することがない。
【実施例８】
【０１０６】
図１３は、第８の実施例のデータ記録処理におけるホストコンピュータの動作を示すフローチャートである。ホストコンピュータは、ステップＳ１３０１においてデータ記録再生装置にダミーファイルにてデータ記録コマンドを発行し、ステップＳ１３０２においてコマンド実行の完了を待つ。
【０１０７】
次に、ステップＳ１３０３においてファイルの先頭クラスタとクラスタ数を指定してデータ記録コマンドを発行し、ステップＳ１３０４においてコマンド実行完了を待つ。
【０１０８】
コマンド実行が完了したら、ステップＳ１３０５において記録するファイルを全て記録したかどうかを確認し、まだ記録していないクラスタがあれば、ステップＳ１３０６において、次のクラスタとクラスタ数を指定してデータ記録コマンドを発行する。ファイルが全て記録されたら、ステップＳ１３０７においてデータ記録再生装置にダミーファイルにてデータ記録コマンドを発行し、ステップＳ１３０８においてコマンド実行の完了を待つ。
ファイルを上書き消去する際にサーボ外れ等が発生しても隣接するファイルを破壊しないためには、ダミーファイルは少なくとも１トラック分以上になるようなクラスタ数とすると良い。
なお、ダミーファイルのデータは固定値でもランダムデータでも何でも良い。
また、隣接するファイル同士の間隔を空けることが目的なので、ダミーファイルを実際には記録せずに管理情報上だけ記録したことにしても良い。
【０１０９】
以上の構成により本発明の第８の実施例では、一度だけ記録可能な記録媒体にファイルを記録する際に、前後にダミーファイルを付加しておくため、その後ファイルを上書き消去する際にサーボ外れ等が発生しても隣接する他のファイルを破壊することがない。
【実施例９】
【０１１０】
図１４は、第９の実施例のデータ記録再生装置１の信号処理回路５の他の構成を示すブロック図である。図２と共通の回路については説明を省略する。
【０１１１】
特殊変調規則付き変調回路１４０８は、インタリーブ回路２７から送られたデータを１７ＰＰ変調して光ピックアップ３に送る。ただし、ホストコンピュータから送られたデータではなくデータパターン発生回路２９から送られたデータに対しては、１７ＰＰ変調に存在しない変調規則を適用する。
【０１１２】
次に、光ディスク２に記録済みのデータを上書き消去する場合の信号処理回路５の動作を説明する。ホストコンピュータから上書き消去コマンドを発行されると、データパターン発生回路２９が出力したデータパターンをスクランブル回路２６でスクランブルし、メモリ２３に書き込み、誤り訂正回路２４により誤り訂正符号を付加する。
【０１１３】
次に、インタリーブ回路２７でインタリーブを施したデータを、特殊変調規則付き変調回路１４０８により１７ＰＰ変調に存在しない変調規則で変調して光ピックアップ３に送り、光ディスクの該当箇所を物理的に上書き記録することにより上書き消去を行う。
【０１１４】
なお、１７ＰＰ変調に存在しない変調規則で変調する代わりに、２Ｔ、３Ｔ、４Ｔ、…等のマーク長を２．５Ｔ、３．５Ｔ、４．５Ｔ、…のように通常記録時とは異なる長さに変更しても良い。また、良好な記録特性を得るために記録時にはライトストラテジと呼ばれる記録レーザ出力のマルチパルス変調を行うことが一般的であるが、上書き消去においては通常記録時とは異なる簡略化したライトストラテジを適用し、記録再生特性を劣化させても良い。
【０１１５】
以上の構成により本発明の第９の実施例では、一度だけ記録可能な記録媒体に記録されたデータに上書きして消去し、再生して確認することで、完全にデータを消去することができる。
【０１１６】
更に、上書き消去する際に１７ＰＰ変調に存在しない変調規則で変調することにより、１７ＰＰ復調では当該データを決して再生できなくなり、データを確実に消去することができる。
【０１１７】
更に、上書き消去する際に通常記録時とは異なるマーク長で記録することにより、１７ＰＰ復調では当該データを決して再生できなくなり、データを確実に消去することができる。
【０１１８】
更に、上書き消去する際に通常記録時とは異なるライトストラテジで記録することにより、１７ＰＰ復調では当該データを決して再生できなくなり、データを確実に消去することができる。
【実施例１０】
【０１１９】
図１５は、第１０の実施例のデータ記録再生装置の上書き消去処理動作を示すフローチャートである。ステップＳ１５０１においてホストコンピュータから上書き消去コマンドで指定された開始クラスタにシークし、ステップＳ１５０２においてＮクラスタ分のデータを上書きすることにより上書き消去を行う。なお、Ｎは固定値ではなく、光ディスク内外周の１周あたりのクラスタ数に応じて、都合の良いクラスタ数にして良い。上書きするデータは例えば“００ｈ”等のデータパターンを採用する。
【０１２０】
次に、ステップＳ１５０３において上書き消去開始した先頭クラスタにシークし、ステップＳ１５０４においてＮクラスタ分のデータ再生処理を行う。
【０１２１】
次に、ステップＳ１５０５においてサーボ外れが発生しなかった場合は、ステップＳ１５０６において当該クラスタにシークし、ステップＳ１５０７において当該クラスタに前回よりレーザパワーを上げて上書きすることにより上書き消去を行う。
【０１２２】
次に、ステップＳ１５０３において再び上書き消去開始した先頭クラスタにシークし、ステップＳ１５０４においてＮクラスタ分のデータ再生処理を行う。
【０１２３】
次に、ステップＳ１５０５において再びサーボ外れが発生しなかった場合は、ステップＳ１５０６において当該クラスタにシークし、ステップＳ１５０７において当該クラスタに前回より更にレーザパワーを上げて上書きすることにより上書き消去を行う。  
ただし、レーザパワーが光ディスクやレーザ自身を破壊する上限に達した場合は、前回と同じレーザパワーを使用する。
【０１２４】
ステップＳ１５０５においてサーボ外れが発生した場合は、ステップＳ１５０８において上書き消去コマンドで指定されたクラスタ数終了したかどうかを確認し、指定されたクラスタ数終了してなければステップＳ１５０２に戻り、残りクラスタ分の上書き消去を行う。指定されたクラスタ数終了していればステップＳ１５０９において上書き消去したクラスタを光ディスクの管理情報の欠陥リストに登録する。
【０１２５】
次に、ステップＳ１５１０においてホストコンピュータに上書き消去コマンド実行完了を報告する。
【０１２６】
以上の構成により本発明の第１０の実施例では、一度だけ記録可能な記録媒体に記録されたデータに上書きして消去し、再生して確認することで、完全にデータを消去することができる。
【０１２７】
更に、当該データを再生し、サーボ外れが発生することにより再生不能であるかどうかを確認し、サーボ外れが発生しない場合は前回よりレーザパワーを上げて上書きすることにより、データを確実に再生不能にすることができる。
【実施例１１】
【０１２８】
図１６は、第１１の実施例のデータ記録再生装置の上書き消去処理動作を示すフローチャートである。ステップＳ１６０１においてホストコンピュータから上書き消去コマンドで指定された範囲に未記録あるいは上書き消去済みのクラスタがある場合は、上書き消去処理を実行せず、ステップＳ１６０２においてホストコンピュータにエラー報告する。なお、上書き消去済みのクラスタがあるかどうかは光ディスクの管理情報に予め記録しておき、それを参照すれば良い。
【０１２９】
ホストコンピュータから上書き消去コマンドで指定された範囲に未記録あるいは上書き消去済みのクラスタがない場合は、ステップＳ１６０３においてホストコンピュータから上書き消去コマンドで指定された開始クラスタにシークし、ステップＳ１６０４においてＮクラスタ分のデータを物理的に上書きすることにより上書き消去する。なお、Ｎは固定値ではなく、光ディスク内外周の１周あたりのクラスタ数に応じて、都合の良いクラスタ数にして良い。上書きするデータは例えば“００ｈ”等のデータパターンとする。
【０１３０】
次に、ステップＳ１６０５において上書き消去開始した先頭クラスタにシークし、ステップＳ１６０６においてＮクラスタ分のデータ再生処理を行う。
【０１３１】
次に、ステップＳ１６０７において再生不能でないクラスタがあった場合は、ステップＳ１６０８において当該クラスタにシークし、ステップＳ１６０９において当該クラスタに前回とは別のデータパターンを上書きすることにより上書き消去を行う。上書きするデータは例えば“５５ｈ”等、前回上書きしたパターンとは異なるデータパターンを採用する。
【０１３２】
次に、ステップＳ１６０５において再び上書き消去開始した先頭クラスタにシークし、ステップＳ１６０６においてＮクラスタ分のデータ再生処理を行う。なお、Ｎクラスタ分のデータ再生処理を行わずに、再生不能でなかったクラスタのみデータ再生処理を行っても良い。
【０１３３】
次に、ステップＳ１６０７において再度再生不能でないクラスタがあった場合は、ステップＳ１６０８において当該クラスタにシークし、ステップＳ１６０９において当該クラスタに前回とは更に別のデータパターンを上書きすることにより上書き消去を行う。上書きするデータは例えば“ＡＡｈ”等、前回上書きしたデータとは更に異なるデータパターンを採用する。
【０１３４】
ステップＳ１６０７において再生不能でないクラスタがない場合は、ステップＳ１６１０において上書き消去コマンドで指定されたクラスタ数終了したかどうかを確認し、指定されたクラスタ数終了してなければステップＳ１６０４に戻り、残りクラスタ分の上書き消去を行う。指定されたクラスタ数終了していればステップＳ１６１１において上書き消去したクラスタを光ディスクの管理情報の欠陥リストに登録する。
【０１３５】
次に、ステップＳ１６１２においてホストコンピュータに上書き消去コマンド実行完了を報告する。
【０１３６】
以上の構成により本発明の第１１の実施例では、一度だけ記録可能な記録媒体に記録されたデータに上書きして消去し、再生して確認することで、完全にデータを消去することができる。
【０１３７】
更に、当該データを再生して確認し、再生不能になっていない場合は前回のパターンとは異なるデータパターンを上書きすることにより、データを確実に消去することができる。
【０１３８】
更に、未記録あるいは上書き消去済みのクラスタの上書き消去をホストコンピュータに指示された場合に、エラーを報告することができる。
【実施例１２】
【０１３９】
図１７は、第１２の実施例のデータ記録再生装置の再生処理動作を示すフローチャートである。ステップＳ１７０１においてホストコンピュータからのデータ再生コマンドの指定範囲に上書き消去済みのクラスタを含む場合は、データ再生処理を実行せず、ステップＳ１７０２においてホストコンピュータにエラー報告する。なお、上書き消去済みのクラスタがあるかどうかは光ディスクの管理情報に予め記録しておき、それを参照すれば良い。
【０１４０】
ステップＳ１７０１においてデータ再生コマンドの指定範囲に上書き消去済みのクラスタがない場合は、ステップＳ１７０３においてホストコンピュータからデータ再生コマンドで指定された開始クラスタにシークし、ステップＳ１７０４においてデータ再生処理を行い、ステップＳ１７０５においてデータ出力処理を行う。
【０１４１】
ステップＳ１７０６においてデータ再生コマンドで指定されたクラスタ数終了したら、ステップＳ１７０７においてホストコンピュータにコマンド実行完了を報告する。
【０１４２】
以上の構成により本発明の第１２の実施例では、上書き消去した記録媒体のデータ再生をホストコンピュータに指示された場合に、エラーを報告することができる。
【実施例１３】
【０１４３】
図１８は、第１３の実施例のデータ記録再生装置のデータ再生処理動作を示すフローチャートである。ステップＳ１８０１においてホストコンピュータからデータ再生コマンドで指定された開始クラスタにシークし、ステップＳ１８０２において再生すべきクラスタが上書き消去済みでない場合は、ステップＳ１８０３においてデータ再生処理を行い、ステップＳ１８０４において再生したデータを出力し、上書き消去済みである場合は、ステップＳ１８０５においてＡＬＬ００データを出力する。
【０１４４】
なお、当該クラスタが上書き消去済みかどうかは、光ディスクに予め記録しておいた管理情報を参照しても良いが、上書き消去済み領域はクロック再生ができない、信号再生波形の振幅が通常のデータ記録済み領域より小さい、等から判断しても良い。
【０１４５】
ステップＳ１８０６においてデータ再生コマンドで指定されたクラスタ数終了したら、ステップＳ１８０７においてホストコンピュータにコマンド実行完了を報告する。
【０１４６】
以上の構成により本発明の第１３の実施例では、上書き消去したクラスタを含む記録媒体のデータ再生をホストコンピュータに指示された場合に、上書き消去されたデータ部分をＡＬＬ００データ等で埋めることにより、エラーを報告せずにデータ再生処理を完了することができる。
【実施例１４】
【０１４７】
図１９は第１４の実施例のデータ記録再生装置の上書き消去時の記録信号を示すタイミングチャートである。記録ゲート信号が“Ｈ”の区間のみ記録信号が出力されて上書き記録することを示しており、例えばＢＤ−Ｒのデータを上書き消去する際に、クラスタ全体を連続的に上書きせずに、一定周期の記録ゲート信号により記録信号をゲートして間欠的に上書き記録する。 
上書き記録した箇所を再生する際には再生信号振幅が小さくなり、一般にサーボがかけにくくなるが、上書き記録した箇所と上書き記録しない箇所が周期的に出現するようになるため、安定してサーボをかけることができるようになる。安定してサーボをかけるためには、例えば上書き記録した箇所と上書き記録しない箇所が出現する周期が数１００ｋＨｚになるように上書き記録すると良い。
【０１４８】
また、高レーザパワーで上書き記録すると一般にサーボがかけにくくなるが、例えば記録ゲート信号のタイミングでレーザパワーを制御し、データ領域は高パワー、同期信号とアドレス領域は低パワーで上書き記録すると、安定してサーボをかけることができるようになる。
【０１４９】
また、例えばＢＤ−Ｒの１クラスタには４９６フレームあり、１フレームには同期信号が１つ、ＢＩＳと呼ばれるアドレス情報が３つある。この同期信号とアドレス情報に同期した記録ゲート信号を生成し、データを上書き消去する際に同期信号とアドレス情報を避けて光ディスクに信号を記録する。これにより、データ再生時にアドレスが再生できるようになる。
【０１５０】
以上の構成により本発明の第１４の実施例では、データを上書き消去する際に記録ゲート信号により記録信号をゲートして間欠的に上書き記録することにより、安定してサーボをかけることができる。
【０１５１】
また、データを上書き消去する際に同期信号とアドレス情報を避けて光ディスクに信号を記録することにより、データ再生時にアドレスが再生でき、安定してサーボをかけることができる。
【０１５２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１５３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。
【０１５４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１５５】
１…データ記録再生装置
２…光ディスク
３…光ピックアップ
４…増幅回路
５…信号処理回路
６…インタフェース回路
７…ＣＰＵ
８…サーボ回路
【図１】
2013186930.tif 000003
【図２】
2013186930.tif 000004
【図３】
2013186930.tif 000005
【図４】
2013186930.tif 000006
【図５】
2013186930.tif 000007
【図６】
2013186930.tif 000008
【図７】
2013186930.tif 000009
【図８】
2013186930.tif 000010
【図９】
2013186930.tif 000011
【図１０】
2013186930.tif 000012
【図１１】
2013186930.tif 000013
【図１２】
2013186930.tif 000014
【図１３】
2013186930.tif 000015
【図１４】
2013186930.tif 000016
【図１５】
2013186930.tif 000017
【図１６】
2013186930.tif 000018
【図１７】
2013186930.tif 000019
【図１８】
2013186930.tif 000020
【図１９】
2013186930.tif 000021